(57)【要約】【課題】駆動チェーンが伸びて全長が変化しても一定の大きさの張力を駆動チェーンに付与することができるエスカレータ用駆動チェーンの張力付与装置を提供する。【解決手段】張力付与装置５０は、第１スプロケット５２と第１スプロケット５２を軸支し上下方向に移動可能に支持された第１移動部材５３とを有する第１押圧部５１、第１押圧部５１と同一の構成を備えた第２押圧部６１、第２押圧部６１の第２移動部材６３に押圧力を与える錘６８、各移動部材５３，６３を相対的に上下方向に移動させる連動機構７０を備え、連動機構７０は、錘６８の重さによって第１移動部材５３を上方に移動させて第１スプロケット５２を下方から駆動チェーン４４に噛み合わせて押圧させつつ、第２押圧部６１の第２移動部材６３を下方に移動させて第２スプロケット６２を上方から駆動チェーン４４に噛み合わせ駆動チェーン４４を押圧させる。【選択図】図２
2017171489.tif 000002
【特許請求の範囲】
【請求項１】
エスカレータの移動手摺を駆動する手摺駆動部へエスカレータ用駆動ユニットの駆動力を伝達する駆動チェーンに張力を付与する張力付与装置であって、
前記駆動チェーンに下方から噛み合うように配置された第１スプロケットと、前記第１スプロケットを回転自在に軸支しつつ上下方向に移動可能に支持された第１移動部材とを有する第１押圧部と、
前記駆動チェーンに沿って前記第１押圧部に隣接配置され、前記駆動チェーンに上方から噛み合う第２スプロケットと、前記第２スプロケットを回転自在に軸支しつつ上下方向に移動可能に支持された第２移動部材とを有する第２押圧部と、
前記第２移動部材に取り付けられ、前記第２移動部材に押圧力を与える錘と、
前記第１移動部材および前記第２移動部材を相対的に上下方向に移動させる連動機構と、
を備え、
前記連動機構は、前記錘の重さによって前記第１移動部材を上方に移動させて前記第１スプロケットを下方から前記駆動チェーンに噛み合わせて押圧させつつ、前記第２移動部材を下方に移動させて前記第２スプロケットを上方から前記駆動チェーンに噛み合わせて前記駆動チェーンを押圧させる、
エスカレータ用駆動チェーンの張力付与装置。
【請求項２】
前記錘は、前記第２移動部材に着脱可能な重さの異なる複数の錘から成る、
請求項１に記載のエスカレータ用駆動チェーンの張力付与装置。
【請求項３】
前記連動機構は、前記第１押圧部および前記第２押圧部の上方で回転自在に支持された連動用スプロケットと、前記連動用スプロケットに架け渡されて噛み合うとともに、一端が前記第１移動部材に接続され、他端が前記第２移動部材に接続された連動チェーンと、を有している、
請求項１または２に記載のエスカレータ用駆動チェーンの張力付与装置。
【請求項４】
前記第２移動部材の下方に配置され、前記第２移動部材の落下を検知する落下検知部と、
前記落下検知部が前記第２移動部材の落下を検知したときに、前記エスカレータ用駆動ユニットに停止信号を送る警報送信器と、を備えている、
請求項１から３のいずれか１項に記載のエスカレータ用駆動チェーンの張力付与装置。
【発明の詳細な説明】
【技術分野】
【０００１】
本発明は、エスカレータの駆動チェーンに張力を付与する張力付与装置、特に、エスカレータの移動手摺に駆動力を伝達する駆動チェーンに張力を付与するエスカレータ用駆動チェーンの張力付与装置に関する。
【背景技術】
【０００２】
エスカレータの移動手摺は、各踏段を循環移動させる駆動ユニットから駆動チェーンを介して移動手摺を駆動する手摺駆動部に動力を伝達することで、移動手摺を踏段と同じ方向に循環移動するように構成されている。また、駆動チェーンに弛みがあると手摺駆動部が移動手摺を駆動する際に大きな振動や騒音が発生するため、駆動チェーンには張力を常時付与しておく必要がある。
【０００３】
特許文献１には、一方が上方から駆動チェーンに接触し、他方が下方から駆動チェーンに接触する２つのチェーンアイドラーを駆動チェーンに沿って配置して駆動チェーンを略Ｓ字状に湾曲させることで駆動チェーンに張力を付与するエスカレータ用駆動チェーンの張力付与装置が開示されている。
【先行技術文献】
【特許文献】
【０００４】
【特許文献１】特開平８‐９１７５１号公報
【発明の概要】
【発明が解決しようとする課題】
【０００５】
しかしながら、上記特許文献１に記載された張力付与装置では、チェーンアイドラーの取付位置が固定されているため、駆動チェーンが伸びた場合に駆動チェーンに適切な大きさの張力を付与することができなくなるという問題があった。
【０００６】
本発明の目的は、駆動チェーンが伸びて全長が変化しても一定の大きさの張力を駆動チェーンに付与することができるエスカレータ用駆動チェーンの張力付与装置を提供することにある。
【課題を解決するための手段】
【０００７】
本発明に係るエスカレータ用駆動チェーンの張力付与装置は、エスカレータの移動手摺を駆動する手摺駆動部へエスカレータ用駆動ユニットの駆動力を伝達する駆動チェーンに張力を付与する張力付与装置であって、駆動チェーンに下方から噛み合うように配置された第１スプロケットと、第１スプロケットを回転自在に軸支しつつ上下方向に移動可能に支持された第１移動部材とを有する第１押圧部と、駆動チェーンに沿って第１押圧部に隣接配置され、駆動チェーンに上方から噛み合う第２スプロケットと、第２スプロケットを回転自在に軸支しつつ上下方向に移動可能に支持された第２移動部材とを有する第２押圧部と、第２移動部材に取り付けられ、第２移動部材に押圧力を与える錘と、第１移動部材および第２移動部材を相対的に上下方向に移動させる連動機構と、を備え、連動機構は、錘の重さによって第１移動部材を上方に移動させて第１スプロケットを下方から駆動チェーンに噛み合わせて押圧させつつ、第２移動部材を下方に移動させて第２スプロケットを上方から駆動チェーンに噛み合わせて駆動チェーンを押圧させるものである。
【０００８】
本発明に係るエスカレータ用駆動チェーンの張力付与装置において、錘は、第２移動部材に着脱可能な重さの異なる複数の錘から成ることが好ましい。
【０００９】
また、本発明に係るエスカレータ用駆動チェーンの張力付与装置において、連動機構は、第１押圧部および第２押圧部の上方で回転自在に支持された連動用スプロケットと、連動用スプロケットに架け渡されて噛み合うとともに、一端が第１移動部材に接続され、他端が第２移動部材に接続された連動チェーンとを有することが好ましい。
【００１０】
また、本発明に係るエスカレータ用駆動チェーンの張力付与装置において、第２移動部材の下方に配置され、第２移動部材の落下を検知する落下検知部と、落下検知部が第２移動部材の落下を検知したときに、エスカレータ用駆動ユニットに停止信号を送る警報送信器と、を備えていることが好ましい。
【発明の効果】
【００１１】
本発明に係るエスカレータ用駆動チェーンの張力付与装置によれば、錘の重さによって第１移動部材が上方に移動して第１スプロケットが下方から駆動チェーンに噛み合いつつ駆動チェーンを押圧し、第２移動部材が下方に移動して第２スプロケットが上方から駆動チェーンに噛み合いつつ駆動チェーンを押圧する。これにより、駆動チェーンが伸びて全長が変化しても駆動チェーンの伸びを吸収しつつ駆動チェーンに一定の大きさの張力を付与することができる。
【図面の簡単な説明】
【００１２】
【図１】本発明の一実施形態であるエスカレータ用駆動チェーンの張力付与装置が適用されるエスカレータの構成を示す図である。
【図２】図１に示す張力付与装置の構成を示す図である。
【図３】図２に示すＢ方向から見た第２押圧部の構成を示す図である。
【図４】駆動チェーンの伸びが大きい場合の張力付与装置の構成を示す図である。
【図５】本発明の一実施形態における変形例である張力付与装置の構成を示す図である。
【発明を実施するための形態】
【００１３】
以下に、本発明の実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１４】
図１は、エスカレータ用駆動チェーンの張力付与装置が適用されるエスカレータ１０の構成を示す図である。図１に示すように、エスカレータ１０は、エスカレータ自体を下方から支持する支持体１２と、支持体１２の上に設置された移動手摺３０とを備えている。この支持体１２は、複数の金属フレームからなるトラス構造を含み、上階乗降口１４ａの床に設置される上階側機械室１２ａ、図示しない下階乗降口の床に設置される下階側機械室（不図示）、および、上階側機械室１２ａと下階側機械室との間の連結部１２ｂから構成される。
【００１５】
図１に示すように、上階側機械室１２ａには、モータＭ、エスカレータの駆動制御を行う制御盤１６等を含む駆動ユニット１８、駆動ユニット１８のモータＭによって回動駆動される踏段スプロケット２２が配置されている。モータＭと踏段スプロケット２２との間には無端状の第１踏段チェーン２４が架け渡されており、この第１踏段チェーン２４を介してモータＭの駆動力が踏段スプロケット２２に伝達される。また、踏段スプロケット２２には無端状の第２踏段チェーン２５が架け渡されている。そして、この第２踏段チェーン２５には上階乗降口１４ａと下階乗降口との間に連なって配置された多数の踏段２６が連結されている。踏段２６は、踏段スプロケット２２および各踏段チェーン２４，２５を介してモータＭによって駆動され、運転方向Ａに沿って循環移動する。
【００１６】
図１に示すように、移動手摺３０は、踏段２６の幅方向両端に立設した欄干３１に運転方向Ａに沿って移動可能に支持された無端状の手摺である。移動手摺３０は、上階側機械室１２ａに隣接する駆動部収納空間３２に設置された手摺駆動部３４によって駆動される。手摺駆動部３４は、移動手摺３０を駆動する駆動ローラ３６ａ，３６ｂ，３６ｃ，３６ｄを含む。手摺駆動部３４は、駆動ローラ３６ａ，３６ｂと駆動ローラ３６ｃ，３６ｄとの間に配置された従動ローラ３７、および、従動ローラ３７の直下方に配置された中間駆動軸３８をさらに含む。そして、各ローラ３６ａ〜３６ｄ、従動ローラ３７、および、中間駆動軸３８には無端状の手摺チェーン３９が架け渡されている。各駆動ローラ３６ａ〜３６ｄは、手摺チェーン３９を介して中間駆動軸３８に回転駆動される。また、この中間駆動軸３８と手摺駆動スプロケット４２との間には無端状の駆動チェーン４４が架け渡されている。手摺駆動スプロケット４２は、上述した踏段スプロケット２２と同軸に取り付けられており、踏段スプロケット２２と同期して回転する。上記構成により、モータＭの駆動力は、手摺駆動スプロケット４２、中間駆動軸３８、および、駆動チェーン４４を介して手摺駆動部３４に伝達される。
【００１７】
図１に示すように、エスカレータ用駆動チェーンの張力付与装置５０は、上階側機械室１２ａおよび駆動部収納空間３２の間の図示しないトラスフレームに取り付けられている。張力付与装置５０は、上述した駆動チェーン４４に一定の大きさの張力を付与することによって駆動チェーン４４の弛みを防止する機能を有している。これにより、駆動チェーン４４の駆動に伴って発生する騒音や振動を低減している。
【００１８】
続いて、図２および図３を用いて張力付与装置５０の構成について説明する。図２は、張力付与装置５０の構成を示す図である。図３は、図２に示すＢ方向から見た張力付与装置５０の第１押圧部５１の構成を示す図である。同図では、図示の簡略化の為、連動用チェーン７２の図示を省略している。
【００１９】
図２に示すように、張力付与装置５０は、駆動チェーン４４を下方から押圧する第１押圧部５１と、駆動チェーン４４を上方から押圧する第２押圧部６１とを備えている。
【００２０】
第１押圧部５１は、駆動チェーン４４に下方から噛み合う第１スプロケット５２と、第１スプロケット５２を回転自在に軸支する第１移動部材５３と、第１移動部材５３を上下方向に移動可能に支持する第１ガイドレール５４ａ，５４ｂとを含む。第１移動部材５３は、略四角形状の板状部材であり、図３に示すように、幅方向における両端面に上下方向に沿ってガイド溝５３ａ，５３ｂが設けられている。一方、第１ガイドレール５４ａ，５４ｂは、基台５５に立設している。第１ガイドレール５４ａ，５４ｂは、略Ｔ字状の断面形状を有し、上述した第１移動部材５３の両端面に対向している。そして、第１移動部材５３のガイド溝５３ａ，５３ｂは、第１ガイドレール５４ａ，５４ｂに上下方向へ移動可能に嵌合している。このようにして、第１移動部材５３は、第１ガイドレール５４ａ，５４ｂによって上下方向に移動可能に支持される。
【００２１】
図２に示すように、第２押圧部６１は、駆動チェーン４４に沿って第１押圧部５１に隣接配置されている。第２押圧部６１は、第１押圧部５１と同一の構成を備えている。以下の説明では、第２押圧部６１が第１押圧部５１と共通する構成については適宜説明を省略し、主に第１押圧部５１と構成の異なる部分について説明する。
【００２２】
第２スプロケット６２は、駆動チェーン４４に上方から噛み合うように配置されている。また、第２移動部材６３には、後述する錘６８を取り付けるための支持柱６５が下端部に設けられている。この支持柱６５は、例えば略円柱状に形成されており、支持柱６５の下端部には錘固定ピン６６を差し込む貫通孔が径方向に設けられている。
【００２３】
図２に示すように、張力付与装置５０は、第２移動部材６３に取り付けられ、第２移動部材６３に押圧力を与える錘６８を備えている。錘６８は、第２移動部材６３に着脱可能な重さの異なる複数の錘６８ａ，６８ｂ，６８ｃから構成することが好適である。各錘６８ａ，６８ｂ，６８ｃには、支持柱６５に差し込むための貫通孔が中央部に設けられている。このため、所望の押圧力が得られるように各錘６８ａ，６８ｂ，６８ｃを組み合わせて支持柱６５に挿通した状態で錘固定ピン６６を支持柱６５に差し込むことで錘６８を固定できる。このように錘６８の重さを調節することによって第２移動部材６３が第２スプロケット６２を介して駆動チェーン４４を押圧する押圧力を調節できる。
【００２４】
図２に示すように、ボルト６９ａ，６９ｂは、第２ガイドレール６４ａ，６４ｂの上部に取り付けられており、第２移動部材６３の外れ止めとして機能するボルトである。ボルト６９ａ，６９ｂは、エスカレータ１０が急停止した場合に、駆動チェーン４４が跳ね上がって第２移動部材６３が上方へ移動し第２ガイドレール６４ａ，６４ｂから外れるのを防止する。
【００２５】
図２に示すように、張力付与装置５０は、第１移動部材５３および第２移動部材６３を相対的に上下方向に移動させる連動機構７０をさらに備える。連動機構７０は、連動用スプロケット７１と、連動用スプロケット７１に架け渡された連動用チェーン７２とを有してもよい。連動用チェーン７２は、一端が第１移動部材５３に連結され、他端が第２移動部材６３に連結される。この構成により、連動機構７０は、錘６８の重さによって、第１移動部材５３を上方に移動させて第１スプロケット５２を下方から駆動チェーン４４に噛み合わせて押圧させつつ、第２移動部材６３を下方に移動させて第２スプロケット６２を上方から駆動チェーン４４に噛み合わせて押圧させる。このようにして駆動チェーン４４に一定の大きさの張力を付与することができる。
【００２６】
図２に示すように、張力付与装置５０は、第２移動部材６３の下方に設置された落下検知部７４と、第１ガイドレール５４ｂおよび第２ガイドレール６４ａの間に設置された警報送信器７６とを備えてもよい。落下検知部７４は、第２ガイドレール６４ａの根元に取り付けられた例えば赤外線等を発光する発光部７４ａと、反対側の第２ガイドレール６４ｂの根元に取り付けられた発光部７４ａの光を受光する受光部７４ｂとから構成されている。落下検知部７４は、発光部７４ａの光が遮られて発光部７４ａの光を受光部７４ｂが受光しなくなることによって第２移動部材６３の落下を検知する。
【００２７】
警報送信器７６は、落下検知部７４が第２移動部材６３の落下を検知したときに駆動ユニット１８の制御盤１６にモータＭの運転を停止させる停止信号を送る。これにより、エスカレータ１０の運転を停止できる。
【００２８】
続いて、図４を用いて張力付与装置５０の動作について説明する。図４は、駆動チェーン４４の伸びが大きい場合の張力付与装置５０の構成を示す図である。図４に示すように、駆動チェーン４４の伸びが大きくなった場合には、錘６８の押圧力によって第２移動部材６３が下方へ移動する。そして、第２スプロケット６２が上方から駆動チェーン４４に噛み合いつつ押圧する。一方、第１移動部材５３が錘６８の重さによって連動機構７０を介して上方に移動し、第１スプロケット５２が下方から駆動チェーン４４に噛み合いつつ駆動チェーン４４を押圧する。このように駆動チェーン４４の伸びが大きい場合にも、駆動チェーン４４の全長の変化に対応して第１移動部材５３および第２移動部材６３の上下方向位置が変化する。このため、駆動チェーン４４の伸びによる全長の変化を吸収しつつ駆動チェーン４４に一定の大きさの張力を付与することができる。
【００２９】
また、図４に２点鎖線で示すように、駆動チェーン４４が破断して第２移動部材６３が落下した場合には、落下検知部７４によって第２移動部材６３の落下が検知される。そして、警報送信器７６が駆動ユニット１８の制御盤１６に停止信号を送信する。このため、駆動チェーン４４が破断して移動手摺３０が停止した場合には、モータＭを停止させることで踏段２６の循環移動を速やかに停止させることができる。
【００３０】
上述した本実施形態の張力付与装置５０によれば、錘６８の重さによって第１移動部材５３が上方に移動して第１スプロケット５２が下方から駆動チェーン４４に噛み合いつつ駆動チェーン４４を押圧し、第２移動部材６３が下方に移動して第２スプロケット６２が上方から駆動チェーン４４に噛み合いつつ駆動チェーン４４を押圧する。これにより、駆動チェーン４４が伸びて全長が変化しても駆動チェーン４４の伸びを吸収しつつ駆動チェーン４４に一定の大きさの張力を付与することができる。
【００３１】
図５は、本発明の一実施形態における変形例である張力付与装置８０の構成を示す図である。以下の説明において、上記実施形態における張力付与装置５０と同一の構成については同一の符号を付して説明を適宜省略するとともに、構成の異なる部分についてのみ説明する。張力付与装置８０は、上述した張力付与装置５０における連動機構７０の代わりに連動機構８１を備えている。この連動機構８１は、第１押圧部５１および第２押圧部６１を両端で軸支しつつ上下方向へ移動可能に支持する揺動アーム８２と、揺動アーム８２の長手方向の中心部を回転自在に支持する支持軸８４とから構成されている。第２押圧部６１には、上記実施形態と同様に錘６８が取り付けられている。このため、錘６８の重さによって第１移動部材５３を上方に移動させて第１スプロケット５２を下方から駆動チェーン４４に噛み合わせて駆動チェーン４４押圧させつつ、第２移動部材６３を下方に移動させて第２スプロケット６２を上方から駆動チェーン４４に噛み合わせて駆動チェーン４４を押圧させることができる。このような張力付与装置８０を用いても駆動チェーン４４に一定の大きさの張力を付与することができる。
【００３２】
なお、本発明に係るエスカレータ用駆動チェーンの張力付与装置は、上述した実施形態およびその変形例の構成に限定されるものではなく、本願の特許請求の範囲に記載された事項およびその均等の範囲内で種々の改良や変更が可能であることはいうまでもない。
【符号の説明】
【００３３】
１０  エスカレータ、１８  駆動ユニット、３０  移動手摺、３４  手摺駆動部、４２  手摺駆動スプロケット、４４  駆動チェーン、５０，８０  張力付与装置、５１  第１押圧部、５２  第１スプロケット、５３  第１移動部材、５４ａ，５４ｂ  第１ガイドレール、６１  第２押圧部、６２  第２スプロケット、６３  第２移動部材、６４ａ，６４ｂ  第２ガイドレール、６５  支持柱、６８，６８ａ，６８ｂ，６８ｃ  錘、７０，８１  連動機構、７１  連動用スプロケット、７２  連動用チェーン、７４  落下検知部、７４ａ  発光部、７４ｂ  受光部、７６  警報送信器。
【図１】
2017171489.tif 000003
【図２】
2017171489.tif 000004
【図３】
2017171489.tif 000005
【図４】
2017171489.tif 000006
【図５】
2017171489.tif 000007